(57)【要約】【課題】固体撮像素子から出力されるアナログ信号のデジタル変換後の信号の出力変動に起因するノイズによって生じる画質劣化を抑制することが可能な集積回路を提供する。【解決手段】ＣＣＤ型の固体撮像素子５を駆動する駆動回路（ＴＧ６５、Ｈドライバ６６）と、固体撮像素子５から出力されるアナログ信号をデジタル変換するパイプライン型のＡＤ変換器６３と、ＡＤ変換器６３の各ＡＤ変換ブロックから出力される信号から出力用のデジタル信号を生成して外部に出力する出力回路６４とを有するＡＦＥ６であって、駆動回路は、入射光に応じたアナログ信号（以下、有効信号）を固体撮像素子５から出力させた後に、黒レベルを決定するためのアナログ信号（以下、ＯＢ信号）を固体撮像素子５から出力させる際、ＯＢ信号の直前に出力される有効信号の出力後の一定期間、固体撮像素子５の水平電荷転送部５４での電荷転送動作を停止又は遅くする。【選択図】図３
2010028526.tif 000002
【特許請求の範囲】
【請求項１】
ＣＣＤ型の固体撮像素子を駆動する駆動回路と、前記固体撮像素子から出力されるアナログ信号をデジタル変換するパイプライン型のＡＤ変換器と、前記ＡＤ変換器の各ＡＤ変換ブロックから出力される信号から１つの前記アナログ信号に対応する出力用のデジタル信号を生成し、これを外部に出力する出力回路とを有する集積回路であって、
前記駆動回路は、入射光に応じた前記アナログ信号（以下、有効信号という）を前記固体撮像素子から出力させた後に、黒レベルを決定するための前記アナログ信号（以下、ＯＢ信号という）を前記固体撮像素子から出力させる際、前記ＯＢ信号の直前に出力される前記有効信号の出力後の一定期間、前記固体撮像素子の水平電荷転送部の駆動周波数を、前記有効信号に対応する電荷の転送を行っている期間の前記駆動周波数よりも小さくする集積回路。
【請求項２】
請求項１記載の集積回路であって、
前記駆動回路が、前記一定期間における前記駆動周波数を“０”よりも大きな値に設定する集積回路。
【請求項３】
請求項１記載の集積回路であって、
前記駆動回路が、前記一定期間、前記水平電荷転送部での電荷転送動作を停止する集積回路。
【請求項４】
請求項３記載の集積回路であって、
前記一定期間、前記ＡＤ変換器の駆動周波数を他の動作期間よりも大きくする手段を備える集積回路。
【請求項５】
請求項１〜４のいずれか１項記載の集積回路であって、
前記一定期間が、前記ＯＢ信号の直前に出力される前記有効信号が前記集積回路に入力されてから、該有効信号に対応する出力用のデジタル信号が前記出力回路から出力されるまでに要する時間以上の時間である集積回路。
【請求項６】
請求項１〜５のいずれか１項記載の集積回路を備える撮像装置。
【請求項７】
ＣＣＤ型の固体撮像素子の駆動方法であって、
入射光に応じたアナログ信号（以下、有効信号という）を前記固体撮像素子から出力させた後に、黒レベルを決定するためのアナログ信号（以下、ＯＢ信号という）を前記固体撮像素子から出力させる際、前記ＯＢ信号の直前に出力される前記有効信号の出力後の一定期間、前記固体撮像素子の水平電荷転送部の駆動周波数を、前記有効信号に対応する電荷の転送を行っている期間の前記駆動周波数よりも小さくする固体撮像素子の駆動方法。
【請求項８】
請求項７記載の固体撮像素子の駆動方法であって、
前記一定期間における前記駆動周波数を“０”よりも大きな値に設定する固体撮像素子の駆動方法。
【請求項９】
請求項７記載の固体撮像素子の駆動方法であって、
前記一定期間、前記水平電荷転送部での電荷転送動作を停止する固体撮像素子の駆動方法。
【請求項１０】
請求項７〜９のいずれか１項記載の固体撮像素子の駆動方法であって、
前記一定期間が、パイプライン型のＡＤ変換器と前記ＡＤ変換器の各ＡＤ変換ブロックから出力される信号から出力用のデジタル信号を生成してこれを外部に出力する出力回路とを有する集積回路に前記ＯＢ信号の直前に出力される前記有効信号が入力されてから、前記出力回路により該有効信号に対応する出力用のデジタル信号が出力されるまでに要する時間以上の時間である固体撮像素子の駆動方法。
【請求項１１】
ＣＣＤ型の固体撮像素子を駆動する駆動回路と、前記固体撮像素子から出力されるアナログ信号をデジタル信号に変換するパイプライン型のＡＤ変換器とを有する集積回路の駆動方法であって、
入射光に応じた前記アナログ信号（以下、有効信号という）を前記駆動回路によって前記固体撮像素子から出力させた後に、黒レベルを決定するための前記アナログ信号（以下、ＯＢ信号という）を前記駆動回路によって前記固体撮像素子から出力させる際、前記ＯＢ信号の直前に出力される前記有効信号の出力後の一定期間、前記駆動回路によって前記固体撮像素子の水平電荷転送部での電荷転送動作を停止すると共に、前記ＡＤ変換器の駆動周波数を他の動作期間よりも大きくする集積回路の駆動方法。
【請求項１２】
請求項１１記載の集積回路の駆動方法であって、
前記一定期間が、パイプライン型のＡＤ変換器と、前記ＡＤ変換器の各ＡＤ変換ブロックから出力される信号から出力用のデジタル信号を生成してこれを外部に出力する出力回路とを有する集積回路に前記ＯＢ信号の直前に出力される前記有効信号が入力されてから、前記出力回路により該有効信号に対応する出力用のデジタル信号が出力されるまでに要する時間以上の時間である集積回路の駆動方法。
【発明の詳細な説明】
【技術分野】
【０００１】
本発明は、ＣＣＤ型の固体撮像素子を駆動する駆動回路と、前記固体撮像素子から出力されるアナログ信号をデジタル変換するパイプライン型のＡＤ変換器と、前記ＡＤ変換器の各ＡＤ変換ブロックから出力される信号から１つの前記アナログ信号に対応する出力用のデジタル信号を生成し、これを出力する出力回路とを有する集積回路に関する。
【背景技術】
【０００２】
デジタルカメラ等の撮像装置に搭載されるＡＦＥ（アナログフロントエンド）には、高速処理を可能にするために、パイプライン型のＡＤ変換器が設けられている。
【０００３】
パイプライン型のＡＤ変換器は、並列型ＡＤ変換器のようにＡＤ変換を全ビット一斉に行なうのではなく、ＡＤ変換を何段階かのステージに分けて行う。この方式では、バケツ・リレーのように１ビットずつのＡＤ変換を行う。パイプライン型のＡＤ変換器は、例えば、１ビットＡＤコンバータ、１ビットＤＡコンバータ、残差アンプ、及びサンプルホールド回路を構成要素とするＡＤ変換ブロックが多段接続された構成となっており、最上位ビット（ＭＳＢ）から最下位ビット（ＬＳＢ）まで、１ビットずつ順番にＡＤ変換を行う。
【０００４】
ＡＦＥには、更に、パイプライン型のＡＤ変換器の各ＡＤ変換ブロックから出力された信号を最終的な１つのデジタル信号として出力するための出力回路が設けられる。出力回路は、各ＡＤ変換ブロックから出力された信号を用いて、１つのアナログ信号に対応する出力用のデジタル信号を生成し、これを出力する。
【０００５】
撮像装置の場合、ＡＦＥの前段には固体撮像素子が設けられ、この固体撮像素子には、入射光に応じた信号を得るための光電変換素子である有効光電変換素子と、黒レベルを決定するための光電変換素子であるＯＢ光電変換素子とが設けられるのが一般的である。
【０００６】
パイプライン型のＡＤ変換器と上記出力回路を組み合わせて用いた場合、出力回路から出力されるデジタル信号のレベル変動が大きいと、出力回路でノイズが発生し、これがＡＦＥの入力に回り込んでしまうことがある。
【０００７】
例えば、有効光電変換素子からのデジタル信号が出力回路から出力された後に、ＯＢ光電変換素子からのデジタル信号が出力回路から出力されると、デジタル信号のレベル変動が大きくなるため、ＯＢ光電変換素子からのデジタル信号の出力動作時にノイズが発生し、このノイズがＡＦＥ入力に回り込んでしまう。
【０００８】
ＡＤ変換器が１４個のＡＤ変換ブロックで構成されていた場合、上記ノイズは、上記ＯＢ光電変換素子から出力されたアナログ信号の１４個うしろのアナログ信号に乗ることになる。例えば、１ライン毎に、有効光電変換素子からのアナログ信号（以下、有効信号という）の出力後、ＯＢ光電変換素子からのアナログ信号（以下、ＯＢ信号という）が１００個出力されるような構成の固体撮像素子について考える。
【０００９】
この場合、有効信号に対応するデジタル信号が出力回路から出力され、その後、１つ目のＯＢ信号に対応するデジタル信号が出力回路から出力されると、信号レベルの変動により出力回路でノイズが発生する。このノイズは、１５個目のＯＢ信号がＡＦＥに入力される際に、このＯＢ信号に重畳される。２つ目以降のＯＢ信号に対応するデジタル信号は、前に出力されるデジタル信号とレベル差がほとんどなくなるため、このデジタル信号の出力動作時に出力回路でノイズはほとんど発生しない。この結果、１ラインから得られる１００個のＯＢ信号のうち、１５個目に出力されるＯＢ信号だけがノイズによって大きくなってしまい、黒レベルを正確に決定できなくなって画質劣化につながってしまう。
【００１０】
有効信号に対応するデジタル信号が出力回路から順次出力されている期間においても、出力されるデジタル信号同士のレベル差が大きければ、ノイズが発生し、その有効信号の１５個うしろの有効信号にノイズがのってしまうことになる。しかし、有効信号はＯＢ信号よりもレベルが大きいため、そのノイズによる画質への影響は限定的となる。
【００１１】
特許文献１には、ＣＣＤ型の固体撮像素子の駆動方法が開示されているが、上述したような出力回路に起因するノイズ対策については何ら開示されていない。特許文献２には、パイプライン型のＡＤ変換器についての詳細が開示されている。
【００１２】
【特許文献１】特開２００２−１９９２８６号公報
【特許文献２】特開２００７−２０１５５０号公報
【発明の開示】
【発明が解決しようとする課題】
【００１３】
本発明は、上記事情に鑑みてなされたものであり、固体撮像素子から出力されるアナログ信号のデジタル変換後の信号の出力変動に起因するノイズによって生じる画質劣化を抑制することが可能な集積回路、撮像装置、固体撮像素子の駆動方法、及び集積回路の駆動方法を提供することを目的とする。
【課題を解決するための手段】
【００１４】
本発明の集積回路は、ＣＣＤ型の固体撮像素子を駆動する駆動回路と、前記固体撮像素子から出力されるアナログ信号をデジタル変換するパイプライン型のＡＤ変換器と、前記ＡＤ変換器の各ＡＤ変換ブロックから出力される信号から１つの前記アナログ信号に対応する出力用のデジタル信号を生成し、これを外部に出力する出力回路とを有する集積回路であって、前記駆動回路は、入射光に応じた前記アナログ信号（以下、有効信号という）を前記固体撮像素子から出力させた後に、黒レベルを決定するための前記アナログ信号（以下、ＯＢ信号という）を前記固体撮像素子から出力させる際、前記ＯＢ信号の直前に出力される前記有効信号の出力後の一定期間、前記固体撮像素子の水平電荷転送部の駆動周波数を、前記有効信号に対応する電荷の転送を行っている期間の前記駆動周波数よりも小さくする。
【００１５】
この構成により、有効信号がデジタル信号に変換されて出力回路から出力された後に、該有効信号の後に出力させるべきＯＢ信号を集積回路に入力することが可能となる。このため、ＯＢ信号が集積回路に順次入力されていく間、出力回路から出力される信号のレベル変動はほとんどない状態となる。したがって、このレベル変動に起因したノイズによるＯＢ信号への影響を回避することができ、画質劣化を防止することができる。
【００１６】
本発明の集積回路は、前記駆動回路が、前記一定期間における前記駆動周波数を“０”よりも大きな値に設定する。
【００１７】
この構成により、上記一定期間では、電荷の転送が停止されるわけではないため、電荷転送中の駆動周波数の大きな変化によるノイズを抑えることができる。
【００１８】
本発明の集積回路は、前記駆動回路が、前記一定期間、前記水平電荷転送部での電荷転送動作を停止する。
【００１９】
この構成により、有効信号がデジタル信号に変換されて出力回路から出力された後に、該有効信号の後に出力させるべきＯＢ信号を集積回路に入力する処理を容易に実現可能となる。
【００２０】
本発明の集積回路は、前記一定期間、前記ＡＤ変換器の駆動周波数を他の動作期間よりも大きくする手段を備える。
【００２１】
この構成により、上記一定期間を短くすることができ、フレームレートの低減を抑制することができる。
【００２２】
本発明の集積回路は、前記一定期間が、前記ＯＢ信号の直前に出力される前記有効信号が前記集積回路に入力されてから、該有効信号に対応する出力用のデジタル信号が前記出力回路から出力されるまでに要する時間以上の時間である。
【００２３】
本発明の撮像装置は前記集積回路を備える。
【００２４】
本発明の固体撮像素子の駆動方法は、ＣＣＤ型の固体撮像素子の駆動方法であって、入射光に応じたアナログ信号（以下、有効信号という）を前記固体撮像素子から出力させた後に、黒レベルを決定するためのアナログ信号（以下、ＯＢ信号という）を前記固体撮像素子から出力させる際、前記ＯＢ信号の直前に出力される前記有効信号の出力後の一定期間、前記固体撮像素子の水平電荷転送部の駆動周波数を、前記有効信号に対応する電荷の転送を行っている期間の前記駆動周波数よりも小さくする。
【００２５】
本発明の固体撮像素子の駆動方法は、前記一定期間における前記駆動周波数を“０”よりも大きな値に設定する。
【００２６】
本発明の固体撮像素子の駆動方法は、前記一定期間、前記水平電荷転送部での電荷転送動作を停止する。
【００２７】
本発明の固体撮像素子の駆動方法は、前記一定期間が、パイプライン型のＡＤ変換器と前記ＡＤ変換器の各ＡＤ変換ブロックから出力される信号から出力用のデジタル信号を生成してこれを外部に出力する出力回路とを有する集積回路に前記ＯＢ信号の直前に出力される前記有効信号が入力されてから、前記出力回路により該有効信号に対応する出力用のデジタル信号が出力されるまでに要する時間以上の時間である。
【００２８】
本発明の集積回路の駆動方法は、ＣＣＤ型の固体撮像素子を駆動する駆動回路と、前記固体撮像素子から出力されるアナログ信号をデジタル信号に変換するパイプライン型のＡＤ変換器とを有する集積回路の駆動方法であって、入射光に応じた前記アナログ信号（以下、有効信号という）を前記駆動回路によって前記固体撮像素子から出力させた後に、黒レベルを決定するための前記アナログ信号（以下、ＯＢ信号という）を前記駆動回路によって前記固体撮像素子から出力させる際、前記ＯＢ信号の直前に出力される前記有効信号の出力後の一定期間、前記駆動回路によって前記固体撮像素子の水平電荷転送部での電荷転送動作を停止すると共に、前記ＡＤ変換器の駆動周波数を他の動作期間よりも大きくする。
【００２９】
本発明の集積回路の駆動方法は、前記一定期間が、パイプライン型のＡＤ変換器と、前記ＡＤ変換器の各ＡＤ変換ブロックから出力される信号から出力用のデジタル信号を生成してこれを外部に出力する出力回路とを有する集積回路に前記ＯＢ信号の直前に出力される前記有効信号が入力されてから、前記出力回路により該有効信号に対応する出力用のデジタル信号が出力されるまでに要する時間以上の時間である。
【発明の効果】
【００３０】
本発明によれば、固体撮像素子から出力されるアナログ信号のデジタル変換後の信号の出力変動に起因するノイズによって生じる画質劣化を抑制することが可能な集積回路、撮像装置、固体撮像素子の駆動方法、及び集積回路の駆動方法を提供することができる。
【発明を実施するための最良の形態】
【００３１】
以下、本発明の実施形態について図面を参照して説明する。
【００３２】
図１は、本発明の実施形態を説明するための撮像装置の概略構成を示す図である。図２は、図１に示す固体撮像素子の概略構成を示す平面模式図である。
図１に示す撮像装置は、ＣＣＤ（Charge Coupled Device）型の固体撮像素子５と、１チップに集積化されたＡＦＥ（アナログフロントエンド）６とを備える。
【００３３】
図２に示すように、固体撮像素子５は、半導体基板上の垂直方向とこれに直交する水平方向に正方格子状に配列された多数の光電変換素子５１と、垂直方向に並ぶ複数の光電変換素子５１からなる光電変換素子列に対応してその右側部に設けられ、該光電変換素子列の各光電変換素子５１に蓄積された電荷を垂直方向に転送するためのＣＣＤからなる垂直電荷転送部５２と、光電変換素子５１に蓄積された電荷を該光電変換素子５１に対応する垂直電荷転送部５２に読み出すための電荷読出し部５３と、垂直電荷転送部５２を転送されてきた電荷を水平方向に転送するためのＣＣＤからなる水平電荷転送部５４と、水平電荷転送部５４を転送されてきた電荷をその電荷量に応じたアナログの電圧信号に変換して出力するＦＤＡ（フローティングディフュージョンアンプ）等の出力部５５とを備える。
【００３４】
多数の光電変換素子５１には、黒レベル検出用の光電変換素子である複数のＯＢ光電変換素子５１と、被写体からの光（入射光）に応じた撮像信号を得るための光電変換素子である有効光電変換素子５１とを含む。図２では、ＯＢ光電変換素子５１に“ＯＢ”の文字を記してある。
【００３５】
図２に示すように、固体撮像素子５は、半導体基板のうちのＯＢ光電変換素子５１が設けられた領域であるＯＢ画素領域５７と、半導体基板のうちの有効光電変換素子５１が設けられた領域である有効画素領域５６とを有する構成となっている。図１では、固体撮像素子５に含まれる光電変換素子列のうち、水平方向の右端部の光電変換素子列を構成する光電変換素子のみをＯＢ光電変換素子５１としているが、ＯＢ光電変換素子５１はこれ以外の位置、例えば水平方向の左端部（出力部５５側の端部）に配置してあっても良い。又、光電変換素子５１の配列も正方格子配列に限らない。
【００３６】
ＡＦＥ６は、固体撮像素子５から出力されるアナログ信号に相関二重サンプリング（ＣＤＳ）処理を行うＣＤＳ６１と、ＣＤＳ６１からのアナログ信号を可変利得によって増幅する可変利得増幅器（ＶＧＡ）６２と、ＶＧＡ６２から出力されるアナログ信号をデジタル変換するパイプライン型のＡＤ変換器６３と、パイプライン型のＡＤ変換器の各ＡＤ変換ブロックから出力された信号を最終的な１つのデジタル信号として外部に出力するための回路である出力回路６４と、水平電荷転送部５４を駆動するＨドライバ６６と、タイミングジェネレータ（以下、ＴＧという）６５とを備える。
【００３７】
出力回路６４は、１つのアナログ信号がＡＤ変換器６３の各ＡＤ変換ブロックを通過したことにより各ＡＤ変換ブロックから出力される信号から、該アナログ信号に対応する出力用のデジタル信号を生成し、これを後段の回路に出力する。
【００３８】
Ｈドライバ６６は、ＴＧ６５で生成されるタイミングパルスにしたがって水平電荷転送部５４での電荷転送動作を制御するためのＨパルスを生成し、これを水平電荷転送部５４に供給する。
【００３９】
ＴＧ６５は、ＡＤ変換器６３でのＡＤ変換動作を制御するためのＡＤ変換駆動パルスも生成し、これをＡＤ変換器６３に供給する。
【００４０】
尚、図示していないが、撮像装置には、垂直電荷転送部５２を駆動するＶドライバや出力部５５を駆動する駆動部も設けられている。このＶドライバや出力部５５も、ＴＧ６５からのタイミングパルスにしたがって駆動を行う。又、ＴＧ６５は、ＣＤＳ６１、ＶＧＡ６２、及び出力回路６４にも駆動パルスを供給し、これらを駆動する。
【００４１】
図３は、図１に示す撮像装置の動作を説明するためのタイミングチャートである。
水平ブランキング期間が終了すると、水平同期信号ＨＤが立ち上がり、固体撮像素子５の１ライン分の光電変換素子５１から読み出した電荷の水平転送を行う水平転送期間が開始される。この水平転送期間において、Ｈドライバ６６は所定の周波数のＨパルスを水平電荷転送部５４に供給して、電荷を出力部５５まで転送し、該電荷に応じた電圧信号を出力部５５から出力させる。そして、水平方向に並ぶ１ライン分の光電変換素子５１のうち、有効画素領域５６の出力部５５側とは反対側の端部にある有効光電変換素子５１から読み出された電荷に応じた電圧信号（以下、最終有効信号という）を出力させた後、Ｈドライバ６６は、Ｈパルスの供給を一定期間停止して、電荷の水平転送動作を停止する。
【００４２】
電荷の水平転送動作を停止する上記一定期間は、上記最終有効信号がＡＦＥ６に入力されてから、該最終有効信号に対応するデジタル信号が出力回路６４から出力されるまでに要する時間以上の時間であれば良い。
【００４３】
上記一定期間経過後、Ｈドライバ６６は、上記所定の周波数のＨパルスの供給を再開し、１ライン分の光電変換素子５１のうちのＯＢ光電変換素子５１から読み出された電荷の転送を再開する。そして、この電荷に応じた電圧信号の出力完了後、Ｈパルスを停止して水平ブランキング期間に入り、水平ブランキング期間後、次のラインの光電変換素子５１からの電荷の水平転送を開始する。
【００４４】
以上のように、上述した撮像装置によれば、最終有効信号がデジタル信号に変換されて出力回路６４から出力された後に、該最終有効信号の後に出力させるべきＯＢ信号のＡＦＥ６への入力を開始することが可能となる。このため、ＯＢ信号がＡＦＥ６に順次入力されていく間、出力回路６４から出力される信号のレベル変動はほとんどない状態となる。したがって、このレベル変動に起因したノイズによるＯＢ信号への影響を回避することができ、画質劣化を防止することができる。
【００４５】
又、上述した撮像装置によれば、上記効果を、水平転送期間中に電荷の転送を停止する期間を設ける制御、つまり、Ｈパルスの供給を停止する制御を行うだけで得ることができる。このため、既存の撮像装置の構成をそのまま採用することができ、汎用性、コストの面で有利となる。
【００４６】
尚、水平転送期間において電荷転送が停止されている上記一定期間では、ＴＧ６５が、ＡＤ変換器６３に供給するＡＤ変換駆動パルスの周波数を、他の動作期間よりも大きくすることが好ましい。例えば、図４に示すように、一定期間以外の期間のＡＤ変換駆動パルスの周波数を通常周波数とすると、一定期間中のＡＤ変換駆動パルスは、通常周波数の定倍の周波数に設定する。つまり、上記一定期間だけ、ＡＦＥ６内部での信号処理動作を速くする。これにより、上記一定期間においてＡＤ変換駆動パルスの周波数を通常周波数のままにする場合と比較して、水平転送を停止させる期間を短縮することができ、フレームレートの低減を抑えることができる。
【００４７】
又、上記説明では、上記一定期間、水平電荷転送部５４での電荷転送動作を停止する（Ｈパルスの周波数を“０”にする）ものとしているが、電荷転送動作を停止せずに、その速度を遅くする（Ｈパルスの周波数を“０”よりも大きく、有効信号に対応する信号の転送中の周波数よりも小さい値にする）ことでも、同様の効果を得ることができる。例えば、図５に示したように、Ｈドライバ６６は、最終有効信号の出力後の一定期間、Ｈパルスの駆動周波数を、有効信号に対応する電荷の転送を行っている期間のＨパルスの駆動周波数よりも小さくし、一定期間経過後、Ｈパルスの駆動周波数を元に戻してＯＢ信号に対応する電荷の転送を行えば良い。
【００４８】
ここで、ＡＤ変換器６３に含まれるＡＤ変換ブロックの数を“ｎ”とし、上記一定期間におけるＨパルスの駆動周波数を“Ｆ１”、有効信号に対応する電荷の転送を行っている期間のＨパルスの駆動周波数を“Ｆ２”とする。
【００４９】
“ｎ”＝１４であれば、ＡＤ変換器６３内では１４クロック分のディレイが発生する。又、ＣＤＳ６１、ＶＧＡ６２、出力回路６４での処理にかかる時間（これを例えば６クロック分とする）も考慮すると、Ｆ１＝Ｆ２×（１／（１４＋６））とすることで、最終有効信号直後に出力されるＯＢ信号に対応する電荷が水平電荷転送部５４から出力部５５に転送されるまでの間に、最終有効信号のＡＦＥ６からの出力を完了させることができる。
【００５０】
このように、電荷転送動作を停止するのではなく、その速度を遅くすることで、水平転送期間中にＨパルスの周波数が変動することに起因するノイズ（Ｈサグ）の発生を抑制することができ、画質劣化を防ぐことができる。
【図面の簡単な説明】
【００５１】
【図１】本発明の実施形態を説明するための撮像装置の概略構成を示す図
【図２】図１に示す固体撮像素子の概略構成を示す平面模式図
【図３】図１に示す撮像装置の動作を説明するためのタイミングチャート
【図４】図１に示す撮像装置の動作の別の例を説明するためのタイミングチャート
【図５】図１に示す撮像装置の動作の別の例を説明するためのタイミングチャート
【符号の説明】
【００５２】
５  固体撮像素子
５４  水平電荷転送部
６３  ＡＤ変換器
６４  出力回路
６５  タイミングジェネレータ
６６  Ｈドライバ
【図１】
2010028526.tif 000003
【図２】
2010028526.tif 000004
【図３】
2010028526.tif 000005
【図４】
2010028526.tif 000006
【図５】
2010028526.tif 000007